(57)【要約】【課題】片面画像の読み取りを、両面画像読み取り時よりも速い走査速度で行うことが可能な画像読取装置を提供する。【解決手段】両面画像原稿の読み取り時には、密着型イメージセンサ部１２０の走査速度で該密着型イメージセンサ部１２０及びＣＣＤセンサ部１１６を駆動し、片面画像原稿の読み取り時には、ＣＣＤセンサ部１１６の走査速度で該ＣＣＤセンサ部１１６を駆動するように制御する。【選択図】      図１
2004187144.tif 000002
【特許請求の範囲】
【請求項１】
原稿台ガラス上に静止して配置された原稿を副走査方向に移動しながら、または原稿を移動させながら静止して原稿上の画像を読み取る第一の画像読取手段と、原稿を移動させながら静止して原稿上の画像を読み取る第二の画像読取手段と、前記原稿を移動させる原稿搬送手段とを具備し、両面画像原稿に対して両面同時読み取りを行うことが可能な画像読取装置であって、
前記両面画像原稿の読み取り時には、前記第二の画像読取手段の走査速度で該第二の画像読取手段及び前記第一の画像読取手段を駆動し、片面画像原稿の読み取り時には、前記第一の画像読取手段の走査速度で該第一の画像読取手段を駆動するように制御する制御手段を設けたことを特徴とする画像読取装置。
【発明の詳細な説明】
【０００１】
【発明の属する技術分野】
本発明は、例えば、スキャナ、複写機、ファクシミリ（ＦＡＸ）等の機器に適用する画像読取装置に関する。
【０００２】
【従来の技術】
従来、複写機等における画像読取部（リーダ部）においては、原稿台ガラスの下に、原稿を照明する光源と該光源の光を原稿に集光する反射傘とミラーの３つが収容された第一のキャリッジ、前記ミラーにて反射された光をＣＣＤ（電荷結合素子）上に集光するレンズに向けて反射させる２枚のミラーが収容された第二のキャリッジ、原稿からの反射光、または投影光をＣＣＤ上に集光するレンズ、及びＣＣＤの４点（第一のキャリッジ、第二のキャリッジ、レンズ、ＣＣＤ）から成る縮小光学系の画像読取装置、またはＬＥＤ（発光ダイオード）アレイ光源、ロッドレンズアレイ及びＣＩＳ（コンタクトイメージセンサ）を用い、原稿に密着して画像を読み取る等倍光学系の画像読取装置といったような、単一の読取センサを用いた画像読取装置が用いられてきた。
【０００３】
これらの画像読取装置において、両面画像原稿の両面読み取りを行う場合には、ＤＦ（ドキュメントフィーダ）等の原稿反転手段を用い、両面画像原稿の表面と裏面とを交互に読み取っていた。
【０００４】
しかしながら、近年では、図４に示すような両面同時読取機構を有する画像読取装置が提案されている。
【０００５】
図４は、このような画像読取装置の概略構成を示す側断面図であり、原稿の両面の読取位置と搬送経路のレイアウトを主に示している。
【０００６】
図４において、４０１，４０２は読取センサ、４０３は基準白色部材、４０４は（御教示下さい。）、４０５は原稿トレイである。
【０００７】
このような構成の画像読取装置は、原稿の表面（第１面）を読み取る第１の読取センサ（ＣＣＤ）４０１と、裏面（第２面）を読み取る第２の読取センサ（コンタクトイメージセンサ）４０２とを備え、原稿トレイ４０５上に載置された原稿を排出側に送る途中で、第１及び第２の読取センサ４０１，４０２によって原稿の両面を１回の搬送で読み取る構成になっている。
【０００８】
【発明が解決しようとする課題】
しかしながら、一般的にコンタクトイメージセンサを用いた等倍光学系の走査速度は、ＣＣＤを用いた縮小光学系の走査速度より遅いため、前記のような搬送で両面読み取りを行う機構においては、ＣＣＤを用いた縮小光学系の走査速度をコンタクトイメージセンサを用いた等倍光学系の走査速度まで低下させ、両者の走査速度を合わせて両面画像の同時読み取りを行わなければならず、ＣＣＤ及びコンタクトイメージセンサそれぞれの光学系の走査速度を同一に設定した場合、ＣＣＤを用いた縮小光学系で片面画像原稿を読み取る場合においても、ＣＣＤを用いた縮小光学系の実力より遅い速度であるコンタクトイメージセンサを用いた等倍光学系の走査速度で原稿を走査しなければならないという問題があった。
【０００９】
本発明は、このような従来技術の有する問題点を解決するためになされたものであり、その目的は、原稿の両面画像読み取り時よりも速い走査速度で片面画像を読み取ることを可能にした画像読取装置を提供することである。
【００１０】
【課題を解決するための手段】
前記目的を達成するために、本発明の画像読取装置は、原稿台ガラス上に静止して配置された原稿を副走査方向に移動しながら、または原稿を移動させながら静止して原稿上の画像を読み取る第一の画像読取手段と、原稿を移動させながら静止して原稿上の画像を読み取る第二の画像読取手段と、前記原稿を移動させる原稿搬送手段とを具備し、両面画像原稿に対して両面同時読み取りを行うことが可能な画像読取装置であって、前記両面画像原稿の読み取り時には、前記第二の画像読取手段の走査速度で該第二の画像読取手段及び前記第一の画像読取手段を駆動し、片面画像原稿の読み取り時には、前記第一の画像読取手段の走査速度で該第一の画像読取手段を駆動するように制御する制御手段を設けたことを特徴とする。
【００１１】
【発明の実施の形態】
以下、本発明の一実施の形態を、図面に基づき説明する。
【００１２】
図１は、本実施の形態に係る画像読取装置の構成を示す側断面図であり、同図に示すように、この画像読取装置は、原稿給送部１０１と画像読取部１１９とから成る。
【００１３】
１０２は原稿トレイ、１０３は原稿、１０４は原稿給送ローラ、１０５は分離パッド、１０６は中間ローラ対、１０７は原稿排出ローラ対、１０８は大径ローラ、１０９は第１従動ローラ、１１０は第２従動ローラ、１１１は第３従動ローラ、１１２は流し読み原稿ガラス、１１３は露光部、１１４はミラーユニット、１１５はレンズ、１１６は画像読取センサ部（ＣＣＤセンサ部）、１１７は原稿ガイド板、１１８はジャンプ台、１１９は原稿読取部、１２０は密着型イメージセンサ部、１２１は基準白色部材、１２２は基準白色部材１２１の更新部である。
【００１４】
本実施の形態に係る画像読取装置は、原稿給送部１０１と原稿読取部１１９とによって構成されていて、第１の読取部として原稿読取部１１９内の露光部１１３と原稿１０３とを相対的に移動させながら読み取り、第２の読取部として密着型イメージセンサ部１２０と原稿１０３とを相対的に移動させながら原稿１０３上の情報を読み取る。密着型イメージセンサ部１２０は、図示しない光源であるＬＥＤアレイ、ロッドレンズアレイ及びコンタクトイメージセンサから構成されている。
【００１５】
原稿１０３は原稿トレイ１０２上に載置セットされる。原稿給紙ローラ１０４は、分離パッド１０５と対になっていて、原稿１０３を１枚ずつ給送する。給送された原稿１０３は、中間ローラ対１０６で更に画像読取装置内に送られ、大径ローラ１０８と第１従動ローラ１０９とによる搬送系に渡され、大径ローラ１０８を回る形で第２従動ローラ１１０による搬送が行われる。大径ローラ１０８と第２従動ローラ１１０とで搬送される原稿１０３は、流し読み原稿ガラス１１２と原稿ガイド板１１７との間を通り、ジャンプ台１１８を経て再び大径ローラ１０８と第３従動ローラ１１１とにより搬送される。流し読み原稿ガラス１１２と原稿ガイド板１１７との間では、原稿ガイド板１１７により原稿１０３は流し読み原稿ガラス１１２に接触する形で搬送される。
【００１６】
原稿１０３が搬送される前に、第１、第２の読取部でシェーディングを行う。第１の読取部は、基準白色板１２１を読み取り、第２の読取部は、基準白色部材１２１の更新部１２２における白色シートを読み取ることによって、それぞれ適正な白レベルを得る。
【００１７】
原稿１０３は、流し読み原稿ガラス１１２上を通過する際に、露光部１１３により、流し読み原稿ガラス１１２に接している面が露光される。露光部１１３は露光することにより、原稿１０３から反射して来る原稿画像情報をミラーユニット１１４に伝達する。伝達された原稿画像情報は、レンズ１１５を通過して集光されて、ＣＣＤセンサ部１１６にて電気信号として変換される。
【００１８】
以上の過程で原稿１０３の第１面（表面）が読み取られる。
【００１９】
次に、大径ローラ１０８と第３従動ローラ１１１とにより搬送された原稿１０３は、原稿排出ローラ対１０７の方向へ搬送される過程で、密着型イメージセンサ部１２０によって原稿１０３の第２面（裏面）を読み取り、その後、画像読取装置外に排出される。
【００２０】
図２は、本実施の形態に係る画像読取装置の画像制御系の主な機能の構成を示すブロック図であり、同図において、２００は画像読取センサ部（ＣＣＤセンサ部１１６または密着型イメージセンサ部１２０）、２０１はＡ／Ｄ変換部、２０２は画像処理部、２０３は画像メモリ部、２０４はＣＰＵ（中央演算処理装置）、２０５はタイミング信号、２０６はタイミング信号、２０７はアナログ画像信号、２０８はデジタル画像信号、２０９はＣＰＵバス、２１０はメモリＩ／Ｆ（インターフェース）、２１１は操作部、２１２は表示部、２１３はセンサ入力部、２１４はモータドライバ部である。
【００２１】
画像読取センサ部（ＣＣＤセンサ部１１６または密着型イメージセンサ部１２０）２００は、画像処理部２０２に内蔵されているタイミング生成機能によって生成されたタイミング信号２０５に従って光情報を順次、アナログ画像信号２０７に変換して出力する。Ａ／Ｄ変換部２０１は、同じく画像処理部２０２からのタイミング信号２０６に従って、画像読取センサ部（ＣＣＤセンサ部１１６または密着型イメージセンサ部１２０）２００から出力されたアナログ画像信号２０７をデジタル画像信号２０８に変換する。
【００２２】
デジタル画像信号２０８は画像処理部２０２に入力され、シェーディング補正等の処理が行われる。画像処理部２０２は、メモリＩ／Ｆ２１０を介して画像メモリ部２０３に対して画像情報の書き込み／読み出しを行う。ＣＰＵ２０４は、原稿読取装置全体の制御を司る。ＣＰＵ２０４は、ＣＰＵバス２０９を介して画像処理部２０２の設定や制御及び画像情報の読み書きを行う。また、操作部２１１により、読取モード設定及び読取動作開始指示を行う。
【００２３】
次に、本実施の形態に係る画像読取装置の更新動作について、図３に基づき説明する。
【００２４】
図３は、本実施の形態に係る画像読取装置の更新動作の流れを示すフローチャートであり、同図におけるＣＩＳは、密着型イメージセンサ（Ｃｏｎｔａｃｔ  Ｉｍａｇｅ  Ｓｅｎｓｏｒ）部１２０を示す。
【００２５】
図３において、まず、ステップＳ３０１で、読取動作開始前に、原稿１０３の片面または両面読み取りのモードを設定する。次に、ステップＳ３０２で、原稿１０３が原稿トレイ１０２上にセットされたか否かを判断する。そして、原稿１０３が原稿トレイ１０２上にセットされないと判断された場合は、前記ステップＳ３０１へ戻り、また、原稿１０３が原稿トレイ１０２上にセットされたと判断された場合は、次のステップＳ３０３へ進む。
【００２６】
ステップＳ３０３では、原稿１０３の読取開始指示が与えられたか否かを判断する。そして、原稿１３の読取開始指示が与えられないと判断された場合は、前記ステップＳ３０１へ戻り、また、原稿１０３の読取開始指示が与えられたと判断された場合は、次のステップＳ３０４へ進む。
【００２７】
ステップＳ３０４では、第１の読取手段であるＣＣＤセンサ部１１６及び第二の読取手段である密着型イメージセンサ部（ＣＩＳ）１２０のシェーディング動作を行う。次に、ステップＳ３０５へ進んで、画像読取モードが片面読取モードであるか両面読取モードであるかを判断する。そして、画像読取モードが片面読取モードであると判断された場合にはステップＳ３０７へ、また、両面読取モードであると判断された場合にはステップＳ３０９へ、それぞれ進む。
【００２８】
片面読取モード時には、ステップＳ３０７へ進んで、画像読取装置は、原稿給送部１０１により原稿１０３を１枚ずつ搬送し、ＣＣＤセンサ部１１６にて原稿１０３の表面の読み取りを行う。次に、ステップＳ３０８で、原稿１０３の読み取りが終了したか否かを判断する。そして、１枚の原稿１０３の表面の画像の読み取りが終了し、原稿トレイ１０２上の原稿１０３の搬送が全て終了していなければ、前記ステップＳ３０８においては、原稿１０３の読み取りが終了していないと判断されて、前記ステップＳ３０７へ戻り、次の原稿１０３の搬送及び読み取りを行う。また、原稿トレイ１０２上の原稿１０３を全て読み終われば、前記ステップＳ３０８においては、原稿１０３の読み取りが終了したと判断されて、片面読み取りモードを終了して、通常のスタンバイ状態に移行する。この場合、ＣＣＤセンサ部１１６による読み取りの走査速度は、密着型イメージセンサ部（ＣＩＳ）１２０よりも速いＣＣＤセンサ部１１６単独の走査速度ＶＣＣＤ（ｍｍ／ｓｅｃ）を採ることで、両面画像原稿の読み取り時よりも速い搬送と読み込みが可能となる。
【００２９】
一方、両面読み取りモード時には、ステップＳ３１０へ進んで、画像読取装置は、原稿給送部１０１により原稿１０３を１枚ずつ搬送し、ＣＣＤセンサ部１１６にて原稿１０３の表面の読み取りを行う。次に、ステップＳ３１１へ進んで、原稿１０３が搬送されて密着型イメージセンサ部（ＣＩＳ）１２０の位置まで到達したときに、原稿１０３の裏面の読み取りを密着型イメージセンサ部（ＣＩＳ）１２０にて行う。次に、ステップＳ３１２へ進んで、原稿１０３の読み取りが終了したか否かを判断する。そして、１枚の原稿１０３の表面及び裏面の画像の読み取りが終了し、原稿トレイ１０２上の原稿１０３の搬送が全て終了していなければ、前記ステップＳ３１２においては、原稿１０３の読み取りが終了していないと判断されて、前記ステップＳ３１０へ戻り、次の原稿１０３の搬送及び読み取りを行う。また、原稿トレイ１０２上の原稿を全て読み終われば、前記ステップＳ３１２においては、原稿１０３の読み取りが終了したと判断されて、片面読み取りモードを終了して通常のスタンバイ状態に移行する。このとき、原稿の搬送速度は一定であるので、ＣＣＤセンサ部１１６による読み取りの走査速度を、密着型イメージセンサ部（ＣＩＳ）１２０による読み取りの走査速度ＶＣＩＳ（ｍｍ／ｓｅｃ）に合わせて両面原稿を読み取ることとなる。但し、ＣＣＤセンサ部１１６の走査速度をＣＣＤセンサ部１１６単独での走査速度ＶＣＣＤ（ｍｍ／ｓｅｃ）より低下させる場合、ＣＣＤセンサ部１１６により読み取る原稿の表面画像の副走査方向の画素数を走査速度の減少に見合った分だけ増やす必要があるため、図示しないＣＣＤドライバ部は、走査速度の減少分だけＣＣＤセンサ部１１６の蓄積時間が長くなるように制御する。
【００３０】
尚、本実施の形態では、一連の読み取りジョブ後に異常検知及び基準白色部材１２１の更新を行っているが、原稿１枚読み取る毎に、または読み取りジョブ開始前に異常検知及び基準白色部材１２１の更新を行っても良い。
【００３１】
また、本実施の形態では、ＣＣＤセンサ部１１６と密着型イメージセンサ部（ＣＩＳ）１２０とを用いているが、双方共にＣＩＳを用いる構成でも良いことは言うまでもない。
【００３２】
以上のように、本実施の形態によれば、両面画像原稿読み取り時には、密着型イメージセンサ部（ＣＩＳ）１２０を用いた等倍光学系の走査速度を用いて、密着型イメージセンサ部（ＣＩＳ）１２０及びＣＣＤセンサ部１１６での両面画像の同時読み取りを行い、また、片面画像原稿読み取り時には、ＣＣＤセンサ部１１６を用いた縮小光学系を用いて片面画像の読み取りを行うことで、両面画像読み取り時よりも速い走査速度で片面画像を読み取ることができ、片面画像原稿の読み取り速度を両面画像原稿の同時読み取り時よりも速くすることが可能となる。
【００３３】
（他の実施の形態）
上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００３４】
この場合、記憶媒体から読み出されたプログラムコード自体が上述した実施の形態の機能を実現することになり、そのプログラムコードを記憶した記憶媒体は本発明を構成することになる。
【００３５】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００３６】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００３７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００３８】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００３９】
本発明の実施態様の例を以下に列挙する。
【００４０】
［実施態様１］  原稿台ガラス上に静止して配置された原稿を副走査方向に移動しながら、または原稿を移動させながら静止して原稿上の画像を読み取る第一の画像読取手段と、原稿を移動させながら静止して原稿上の画像を読み取る第二の画像読取手段と、前記原稿を移動させる原稿搬送手段とを具備し、両面画像原稿に対して両面同時読み取りを行うことが可能な画像読取装置であって、
前記両面画像原稿の読み取り時には、前記第二の画像読取手段の走査速度で該第二の画像読取手段及び前記第一の画像読取手段を駆動し、片面画像原稿の読み取り時には、前記第一の画像読取手段の走査速度で該第一の画像読取手段を駆動するように制御する制御手段を設けたことを特徴とする画像読取装置。
【００４１】
［実施態様２］  前記第一の画像読取手段単独での走査速度Ｖ１（ｍｍ／ｓｅｃ）と、前記第二の画像読取手段単独での走査速度Ｖ２（ｍｍ／ｓｅｃ）との間に、「Ｖ１＞Ｖ２」なる関係が成り立つことを特徴とする実施態様１記載の画像読取装置。
【００４２】
［実施態様３］  前記第一の画像読取手段は、ＣＣＤ（電荷結合素子）を用いた縮小光学系の画像読取手段であり、前記第二の画像読取手段は、ＣＩＳ（コンタクトイメージセンサ）を用いた等倍光学系の画像読取手段であることを特徴とする実施態様１記載の画像読取装置。
【００４３】
［実施態様４］  前記第一の画像読取手段及び前記第二の画像読取手段は、共にＣＩＳ（コンタクトイメージセンサ）を用いた等倍光学系の画像読取手段であることを特徴とする実施態様１記載の画像読取装置。
【００４４】
［実施態様５］  原稿台ガラス上に静止して配置された原稿を副走査方向に移動しながら、または原稿を移動させながら静止して原稿上の画像を読み取る第一の画像読取手段と、原稿を移動させながら静止して原稿上の画像を読み取る第二の画像読取手段と、前記原稿を移動させる原稿搬送手段とを具備し、両面画像原稿に対して両面同時読み取りを行うことが可能な画像読取装置により画像を読み取る画像読取方法であって、
前記両面画像原稿の読み取り時には、前記第二の画像読取手段の走査速度で該第二の画像読取手段及び前記第一の画像読取手段を駆動し、片面画像原稿の読み取り時には、前記第一の画像読取手段の走査速度で該第一の画像読取手段を駆動するように制御する制御ステップを設けたことを特徴とする画像読取方法。
【００４５】
［実施態様６］  前記第一の画像読取手段単独での走査速度Ｖ１（ｍｍ／ｓｅｃ）と、前記第二の画像読取手段単独での走査速度Ｖ２（ｍｍ／ｓｅｃ）との間に、「Ｖ１＞Ｖ２」なる関係が成り立つことを特徴とする実施態様５記載の画像読取方法。
【００４６】
［実施態様７］  前記第一の画像読取手段は、ＣＣＤ（電荷結合素子）を用いた縮小光学系の画像読取手段であり、前記第二の画像読取手段は、ＣＩＳ（コンタクトイメージセンサ）を用いた等倍光学系の画像読取手段であることを特徴とする実施態様５記載の画像読取方法。
【００４７】
［実施態様８］  前記第一の画像読取手段及び前記第二の画像読取手段は、共にＣＩＳ（コンタクトイメージセンサ）を用いた等倍光学系の画像読取手段であることを特徴とする実施態様５記載の画像読取方法。
【００４８】
［実施態様９］  原稿台ガラス上に静止して配置された原稿を副走査方向に移動しながら、または原稿を移動させながら静止して原稿上の画像を読み取る第一の画像読取手段と、原稿を移動させながら静止して原稿上の画像を読み取る第二の画像読取手段と、前記原稿を移動させる原稿搬送手段とを具備し、両面画像原稿に対して両面同時読み取りを行うことが可能な画像読取装置を制御するためのコンピュータ読み取り可能な制御プログラムであって、
前記両面画像原稿の読み取り時には、前記第二の画像読取手段の走査速度で該第二の画像読取手段及び前記第一の画像読取手段を駆動し、片面画像原稿の読み取り時には、前記第一の画像読取手段の走査速度で該第一の画像読取手段を駆動するように制御する制御ステップをコンピュータに実行させるためのプログラムコードから成ることを特徴とする画像読取装置の制御プログラム。
【００４９】
［実施態様９］  実施態様８記載の制御プログラムを格納したことを特徴とする記憶媒体。
【００５０】
【発明の効果】
以上説明したように本発明によれば、両面画像原稿の読み取り時には、第二の画像読取手段の走査速度を用いて、第二の画像読取手段及び第一の画像読取手段による両面画像の同時読み取りを行い、片面画像原稿読み取り時には、第一の画像読取手段の走査速度を用いて片面画像の読み取りを行うことで、片面画像の読み取りを、両面画像読み取り時よりも速い走査速度で行うことが可能となる。
【図面の簡単な説明】
【図１】本発明の一実施の形態に係る画像読取装置の構成を示す側断面図である。
【図２】本発明の一実施の形態に係る画像読取装置における画像制御系の主な機能の構成を示すブロック図である。
【図３】本発明の一実施の形態に係る画像読取装置の動作の流れを示すフローチャートである。
【図４】従来の両面読み取り機構を有する画像読取装置の構成を示す側断面図である。
【符号の説明】
１０１…  原稿給送装置
１０２…  原稿トレイ
１０３…  原稿
１０４…  原稿給紙ローラ
１０５…  分離パッド
１０６…  中間ローラ対
１０７…  原稿排紙ローラ対
１０８…  大ローラ
１０９…  第１従動ローラ
１１０…  第２従動ローラ
１１１…  第３従動ローラ
１１２…  流し読み原稿ガラス
１１３…  露光部
１１４…  ミラーユニット
１１５…  レンズ
１１６…  ＣＣＤセンサ部（第一の画像読取手段）
１１７…  原稿ガイド板
１１８…  ジャンプ台
１１９…  原稿読み取り装置
１２０…  密着型イメージセンサ部（第二の画像読取手段）
１２１…  基準白色部材更新部
２００    画像読取センサ部
２０１…  Ａ／Ｄ変換部
２０２…  画像処理部
２０３…  画像メモリ部
２０４…  ＣＰＵ
２０５…  タイミング信号
２０６…  タイミング信号
２０７…  アナログ画像信号
２０８…  デジタル画像信号
２０９…  ＣＰＵバス
２１０…  メモリＩ／Ｆ
２１１    操作部
２１２    表示部
２１３    センサ入力部
２１４    モータドライバ部
【図１】
2004187144.tif 000003
【図２】
2004187144.tif 000004
【図３】
2004187144.tif 000005
【図４】
2004187144.tif 000006